(57)【要約】【課題】折板屋根に取付が簡単で、施工後、風雪等の外力や振動によって、ナットの締付が徐々に緩んで、ナットが外れることがない雨樋吊具を提供することを目的とする。【解決手段】吊りボルト２の下端部に、両端部に樋耳保持部１１、１２と中央部に差込孔１３とを有する樋支持具１がナット７、７０にて挟持固定されている雨樋吊具であって、吊りボルト２の下端部が挟持部２２より斜め下方に向けて屈折し螺子部２１１ａが形成されている。【選択図】　　　図１
2004143769.tif 000002
【特許請求の範囲】
【請求項１】
吊りボルトの下端部に、両端部に樋耳保持部と中央部に差込孔とを有する樋支持具がナットにて挟持固定されている雨樋吊具であって、吊りボルトの下端部が挟持部より斜め下方に向けて屈折し螺子部が形成されていることを特徴とする雨樋吊具。
【発明の詳細な説明】
【０００１】
【発明の属する技術分野】
本発明は折板屋根に取着固定されて雨樋を保持する雨樋吊具に関する。
【０００２】
【従来の技術】
．従来、雨樋吊具には種々な構造のものがある。
折板屋根への雨樋吊具への取付は、簡単に取付ができ、取り付けられた雨樋吊具の取付位置の上下位置調整が簡単にでき、施工後、風雪等の外力や振動に対しても、十分耐え、雨樋吊具がしっかりと取り付けられているものが望ましい。
【０００３】
かかる雨樋吊具としては、例えば、特許文献１に記載の雨樋吊具が知られている。
この雨樋吊具は、図４に示すように、折板屋根ａに取付けられた吊りボルトｂの下端部に、両端部に樋耳保持部ｃと中央部に差込孔ｄとを有する樋支持具ｅが上下２個のナットｆ，ｆにて固定されているものである。
この雨樋吊具を折板屋根に取付けて使用するには、２個のナットｆ，ｆを緩めて、樋支持具ｅの上下の位置調整を行い、２個のナットｆ，ｆで樋支持具ｅを締めつけて、樋支持具ｅを吊りボルトの下端部に固定させて、両端部の樋耳保持部ｃに雨樋ｇの樋耳ｈを嵌め込むものである。
【０００４】
【特許文献１】
実開平４─６２７２６号公報（第４頁、第１図）
【０００５】
【発明が解決しようとする課題】
しかしながら、上記特許文献１記載の雨樋吊具は、上下２個のナットｆ，ｆとも回転させ、締め付けて止着しており、雨樋吊具の取付は、通常、高所で、足場が悪く、見えにくい所で行われるため、ナットｆの締付が十分行われていなかったり、又、施工後、風雪等の外力や振動によって、ナットｆの締付が徐々に緩んだりして、ナットｆが外れ雨樋が外れる恐れがあった。
【０００６】
そのため、図５に示すように、樋支持具ｅの下面と下側ナットｆとの間に平ワッシャーｊやバネワッシャーｋを介装してナットｆを締付けて緩みを防止していたが、平ワッシャーｊやバネワッシャーｋを別途用意したり、又、吊りボルトに装着したりする必要があり、手間がかかりるとともにその作業が煩瑣で部品コストが高くなるという問題があった。
【０００７】
本発明の目的は、折板屋根に取付が簡単で、施工後、風雪等の外力や振動によって、ナットの締付が徐々に緩んで、ナットが外れることがない雨樋吊具を提供するものである。
【０００８】
【課題を解決するための手段】
このような目的を達成するために、請求項１に記載の発明に係わる雨樋吊具（以下、「本発明の雨樋吊具」と記す）は、吊りボルトの下端部に、両端部に樋耳保持部と中央部に差込孔とを有する樋支持具がナットにて挟持固定されている雨樋吊具であって、吊りボルトの下端部が挟持部より斜め下方に向けて屈折し螺子部が形成されていることを特徴とするものである。
【０００９】
本発明において、樋支持具と、吊りボルトの材質については、金属、合成樹脂等適宜な材質でよいが、中でも、ステンレス製であると、強度と防錆面で優れているので好ましい。
【００１０】
本発明において、吊りボルトの下端部を六角ナットで締め付ける場合は、六角形の角部が樋支持具の下面にガタガタと当たるので、ボルトの屈折角度θは１．０〜２．０度が好ましいが、座付きナットで締め付ける場合は、１．０〜５．０度であってもよい。
【００１１】
【作用】
本発明の雨樋吊具は、吊りボルトの下端部に、両端部に樋耳保持部と中央部に差込孔とを有する樋支持具がナットにて挟持固定されている雨樋吊具であって、吊りボルトの下端部が挟持部より斜め下方に向けて屈折し螺子部が形成されているので、ナットで締め付けるときにナットの座面が傾いて樋支持具の裏面に当接し食い込むように締め付けられる。その結果、ボルトがナットの締め付けに応じて真っ直ぐになろうとするので、その反力がナットに加わり、より強固に締め付けることができる。
【００１２】
【発明の実施の形態】
次に、本発明の第一実施例を図１〜図３に基づいて説明する。
図１は本発明の雨樋吊具を示す側面図、図２は本発明の雨樋吊具に使用される吊りボルトを示す側面図、図３は図１における要部拡大説明図である。
【００１３】
図１において、Ａは雨樋吊具であり、この雨樋吊具Ａは、樋支持具１と、吊りボルト２とからなっている。
樋支持具１は、ステンレス製の帯状体で、その両端に雨樋８の耳部８１、８２を把持する樋耳保持部１１、１２が設けられており、更にその中央部に差込孔１３が設けられている。屋外側先端部に設けられた樋耳保持部１１には、それぞれ受片１１１とバネ片１１２とが設けられ、屋内側先端部に設けられた樋耳保持部１２には、受片１２１とバネ片１２２とが設けられている。また、差込孔１３の大きさは吊りボルト２の径より若干大きく、下のナット３の外径より小さくなされている。
【００１４】
吊りボルト２は、ステンレス製で、寸切ボルトからなり全長にわたって螺子部２１が形成されている。この吊りボルト２の上端部には折板屋根に取付けるためのナット４とワッシャー５がフェルト６を挟んで上下にそれぞれ設けられており、下端部には２個の座付きナット７、７が設けられている。
また、吊りボルト２の下端部は、図２に示すように、螺子部２１ａの部分が斜め下方に向けて角度θとなるように屈折している。
【００１５】
次に、この雨樋吊具Ａの取付方法及び作用について説明する。
先ず、雨樋吊具Ａの吊りボルト２の上端部から座付きナット７を屈折部２２まで螺入し、続いて、上端部にナット４とワッシャー５を螺入する。
【００１６】
次に、吊りボルト２の上端部を折板屋根８の山部の屋外端部の吊りボルト取付孔（図示省略）に差し込んで、突出した吊りボルト２の上端部にフエルト６を嵌め込むとともに、上方からナット４とワッシャー５を吊りボルト２の上端部に螺入し、雨樋８を取付ける高さ調整をしながら上下のナット４、４とワッシャー５、５とで折板屋根８の山部を挟んで、折板屋根８に雨樋吊具Ａの吊りボルト２を取り付ける。
【００１７】
次に、吊りボルト２の下端部に樋支持具１の差込孔１３を差し込んで、座付きナット７を螺入し、座付きナット７で締め付け、座面７１の周端を樋支持具１の裏面に食い込ませるようにして当接させながら締め付け固定する。
【００１８】
最後に、雨樋吊具Ａの樋支持具１の屋外側の樋耳保持部１１の受片１１１とバネ片１１２の間に雨樋８の屋外側の屋外側耳部８１を差し込んで、屋外側耳部８１を軸に屋内側方向に回動させ、屋内側の樋耳保持部１２の受片１２１とバネ片１２２の間に雨樋８の屋内側の屋内側耳部８２を差し込んで、雨樋吊具Ａに雨樋８を取り付ける。
【００１９】
このようにすると、吊りボルト２の下端部が挟持部２２より斜め下方に向けて屈折しているので、座付きナット７で締め付けるときに座付きナット７の座面７１が傾いて樋支持具１の裏面に座面７１の周端が当接し食い込むように締め付けられる。そのため、吊りボルト２の下端部が座付きナット７の締め付けに応じて真っ直ぐなろうとしているので、その反力が座付きナット７に加わり、より強固に締め付けることができる。従って、施工後、風雪等の外力や振動によって、座付きナット７の締付が徐々に緩んだりすることがない。
【００２０】
以上、本発明の実施例を図面により詳述してきたが、具体的な構成はこの実施例に限られるものでなく、本発明の要旨を逸脱しない範囲における設計変更等があっても本発明に含まれる。
例えば、実施例において、吊りボルトの下端部に座付きナットを使用したが、六角ナットだけを用いてもよい。
【００２１】
【発明の効果】
本発明の雨樋吊具は、吊りボルトの下端部に、両端部に樋耳保持部と中央部に差込孔とを有する樋支持具がナットにて挟持固定されている雨樋吊具であって、吊りボルトの下端部が挟持部より斜め下方に向けて屈折し螺子部が形成されているので、吊りボルトの下端部にナットを螺入し締め付けるだけで樋支持具を簡単に取付けることができ、ワッシャーを用いなくても振動によるナットの緩みが防止できる。
【図面の簡単な説明】
【図１】本発明の雨樋吊具を示す側面図である。
【図２】本発明の雨樋吊具に使用される吊りボルトを示す側面図である。
【図３】図１における要部拡大説明図である。
【図４】従来例を説明する側面図である。
【図５】従来例の緩み防止を説明する説明図である。
【符号の説明】
Ａ　　　　　　　　　　雨樋吊具
１　　　　　　　　　　樋支持具
２　　　　　　　　　　吊りボルト
２１　　　　　　　　　螺子部
２１ａ　　　　　　　　下端部の螺子部
２２　　　　　　　　　挟持部
３　　　　　　　　　　雨樋
４　　　　　　　　　　ナット
５　　　　　　　　　　ワッシャー
６　　　　　　　　　　フェルト
７　　　　　　　　　　ナット（座付きナット）
７１　　　　　　　　　座面
８　　　　　　　　　　折板屋根
【図１】
2004143769.tif 000003
【図２】
2004143769.tif 000004
【図３】
2004143769.tif 000005
【図４】
2004143769.tif 000006
【図５】
2004143769.tif 000007